(57)【特許請求の範囲】
【請求項１】
ビニール容器用の着脱可能な開閉装置において、
ビニール容器を切断した部分である切断部分の内側に収容され、上記ビニール容器内の中身を通過させ上記ビニール容器の外へ排出するために軸方向に沿って形成した第１貫通孔をもつ第１シリンダー形本体と、上記第１シリンダー形本体の外周面に形成した第１ネジ山とを有する雄ネジ型部材；
上記ビニール容器の上記切断部分を挟んで上記雄ネジ型部材との螺合が可能で、上記軸方向に沿って形成した第２貫通孔をもつ第２シリンダー形本体と、上記雄ネジ型部材の外側で上記第１ネジ山と螺合されるように上記第２シリンダー形本体の内周面に形成した第２ネジ山と、上記第２シリンダー形本体の外周面にかつ上記軸方向の上部に形成した第３ネジ山とを有し、上記雄ネジ型部材と上記雌ネジ部材との間に上記ビニール容器の上記切断部分を配置することで、上記雄ネジ型部材との螺合により上記ビニール容器を密封する雌ネジ型部材；
上記雌ネジ型部材の上部に設置され、上記第２貫通孔を開閉することにより上記ビニール容器を外部に対して開放または密閉するために上記第３ネジ山と螺合される第４ネジ山が形成された蓋部材；及び
上記ビニール容器の上記切断部分を挟み込むように上記雄ネジ部材の上記第１ネジ山と上記第２ネジ山との間に形成されている螺合間隙；を含んで構成され、
上記第１シリンダー形本体の上記軸方向の下端には、上記雄ネジ型部材を上記ビニール容器の上記切断部分の内側に挿入した後に上記ビニール容器の外部より上記ビニール容器及び上記雄ネジ型部材の位置を互いに上記ビニール容器の外側から保持できるように上記軸方向の下方に延長されている複数の摘みが形成されており、上記第１貫通孔及び上記第２貫通孔とともに上記複数の摘み間が上記ビニール容器内の上記中身を排出する流通路となっていることを特徴とするビニール容器用の着脱可能な開閉装置。
【請求項２】
上記雄ネジ型部材の上記第１ネジ山が形成されている部分及び上記雌ネジ型部材の上記第２ネジ山が形成されている部分のそれぞれの直径が上記軸方向の下方にいくにつれて次第に拡大されていることを特徴とする請求項１に記載のビニール容器用の着脱可能な開閉装置。
【請求項３】
上記第１シリンダー形本体の上記軸方向の下端には、上記第１ネジ山と上記と第２ネジ山とが螺合した際に、上記雌ネジ型部材の下端が当接しかつ上記雄ネジ型部材に上記雌ネジ型部材が堅固に密着した状態で固定されるように上記軸方向に対して径方向に延びている下側密封環部が形成されていることを特徴とする請求項１に記載のビニール容器用の着脱可能な開閉装置。
【請求項４】
上記複数の摘みが上記第１シリンダー形本体の上記軸方向の軸周りに沿って形成されていることを特徴とする請求項１乃至３のいずれか１項に記載のビニール容器用の着脱可能な開閉装置。
【発明の詳細な説明】
【０００１】
発明の分野
本発明は中身の移し分けが容易なビニール容器用の着脱可能な開閉装置に関する。
【０００２】
従来の技術
一般に、食品に添加される砂糖、塩、コーヒーなどの粉末材料の包装にはビニール容器が使用される。また、洗剤やシャンプーなどの本容器を節約するためにリフィル（Re-fill）用洗剤またはシャンプーなどには節約型のビニール容器が使用される。
【０００３】
かかるビニール容器は、中身の使用時には上端の一側の角をはさみなどで切断して使用し、使用後中身が残っている場合は別途の密封手段なしに切断面を折って保管していた。
【０００４】
図１は従来の切断された状態のビニール容器の概略的な斜視図である。
【０００５】
従来、ビニール容器２０の端部分を切り取って中身を移し分けて使用しようとする場合、所望する適当量を移し分けるのが難しいばかりでなく、中身を移し分けた後のビニール容器の排出口２２またはその周辺に中身がくっついて清潔維持の面でも煩雑であった。
【０００６】
特に、リフィル用ビニール容器に入ったシャンプー、洗剤などのような液状の中身を本容器に移して使用しようとする場合、リフィル用ビニール容器を本容器の口に安定的に固定した状態で作業するのが困難であるため、中身を清潔且つ容易に本容器に移すのが難しかった。
【０００７】
また、本容器が小さい場合は、中身が残っている状態でリフィル用ビニール容器を保管しなければならず、リフィール用ビニール容器が倒れて中身がこぼれたりしないよう注意を要するという不便さがあった。
【０００８】
発明の要約
本発明は上記のような問題点に鑑みてなされたものであり、本発明の目的は、中身の移し分け及び保管を容易にし、また保管状態を清潔に保つことができるビニール容器用の着脱可能な開閉装置を提供することにある。
【０００９】
上記目的を達成するために、本発明は、ビニール容器用の着脱可能な開閉装置において、
ビニール容器を切断した部分である切断部分の内側に収容され、上記ビニール容器内の中身を通過させ上記ビニール容器の外へ排出するために軸方向に沿って形成した第１貫通孔をもつ第１シリンダー形本体と、上記第１シリンダー形本体の外周面に形成した第１ネジ山とを有する雄ネジ型部材；
上記ビニール容器の上記切断部分を挟んで上記雄ネジ型部材との螺合が可能で、上記軸方向に沿って形成した第２貫通孔をもつ第２シリンダー形本体と、上記雄ネジ型部材の外側で上記第１ネジ山と螺合されるように上記第２シリンダー形本体の内周面に形成した第２ネジ山と、上記第２シリンダー形本体の外周面にかつ上記軸方向の上部に形成した第３ネジ山とを有し、上記雄ネジ型部材と上記雌ネジ部材との間に上記ビニール容器の上記切断部分を配置することで、上記雄ネジ型部材との螺合により上記ビニール容器を密封する雌ネジ型部材；
上記雌ネジ型部材の上部に設置され、上記第２貫通孔を開閉することにより上記ビニール容器を外部に対して開放または密閉するために上記第３ネジ山と螺合される第４ネジ山が形成された蓋部材；及び
上記ビニール容器の上記切断部分を挟み込むように上記雄ネジ部材の上記第１ネジ山と上記第２ネジ山との間に形成されている螺合間隙；を含んで構成され、
上記第１シリンダー形本体の上記軸方向の下端には、上記雄ネジ型部材を上記ビニール容器の上記切断部分の内側に挿入した後に上記ビニール容器の外部より上記ビニール容器及び上記雄ネジ型部材の位置を互いに上記ビニール容器の外側から保持できるように上記軸方向の下方に延長されている複数の摘みが形成されており、上記第１貫通孔及び上記第２貫通孔とともに上記複数の摘み間が上記ビニール容器内の上記中身を排出する流通路となっていることを特徴とするビニール容器用の着脱可能な開閉装置を提供する。
【００１０】
本発明のビニール容器用の着脱可能な開閉装置によれば、ビニール容器の切断部分が雄ネジ型部材と雌ネジ型部材とにより完全密閉され、雄ネジ型部材にはその軸方向に沿って第１貫通孔が形成され、第１貫通孔の上部には開閉用の蓋部材が形成される。従って、蓋部材を開放すればビニール容器の中身を容易且つ清潔に移し分けることができ、また蓋部材を密閉すれば中身を容易且つ清潔に保管することもできる。また、摘みは、ビニール容器のうち雄ネジ型部材の下端に隣接した部分が雄ネジ型部材の第１貫通孔の方に寄せられることを防ぐことができるので中身の排出が邪魔されることを防止できる。さらに複数の摘みの間には流通路が形成されているので、ビニール容器内の中身を外部に排出するとき、その中身が流通路を通して残りなく外部に排出できる。
【００１１】
前述した本発明の目的及び利点は、下記の望ましい実施例に対する添付図面を用いての詳細な説明によって、より明らかになろう。
【００１２】
発明を実施するための最良の形態
以下、添付図面を参照しながら、本発明のビニール容器用の着脱可能な開閉装置を、実施例１乃至５に基づいて詳しく説明する。
【００１３】
［実施例１］
図２は本発明の実施例１によるビニール容器用の着脱可能な開閉装置の概略斜視図で、図３Ａは図２の開閉装置をビニール容器に結合させる前の状態を示す断面図、図３Ｂは結合後の状態を示す断面図である。
【００１４】
図２、図３Ａ及び図３Ｂに示されたように、本発明の実施例１によるビニール容器用の着脱可能な開閉装置１００は、ビニール容器１０の切断部分１３の内側に収容される雄ネジ型部材１７０を有する。雄ネジ型部材１７０はビニール容器１０内の中身を通過させて排出するために雄ネジ型部材１７０の軸方向に沿って第１貫通孔１７３をもつ第１シリンダー形本体１７４と、第１シリンダー形本体１７４の外周面に形成されている第１ネジ山１７１とを有している。
【００１５】
ビニール容器１０を挟んで上記雄ネジ型部材１７０と雌ネジ型部材１５０とが螺合される。上記雌ネジ型部材１５０は雌ネジ型部材１５０の軸方向に沿って第２貫通孔１５３が形成された第２シリンダー形本体１５４を有する。上記雌ネジ型部材１５０は雄ネジ型部材１７０の外側で第１ネジ山１７１との間に螺合間隙１６０を有して螺合されるようにその内周面に第２ネジ山１５１が形成されている。上記螺合間隙１６０に上記ビニール容器１０の切断部分１３をはさみ込むようにすることで、上記雌ネジ型部材１５０及び雄ネジ型部材１７０の螺合により、上記ビニール容器１０を密封する。
【００１６】
上記雄ネジ型部材１７０の上部には蓋部材１１０が設置される。上記蓋部材１１０は第１貫通孔１７３を開閉することで上記ビニール容器１０を外部に対して開放または密閉する。上記蓋部材１１０の内部には上記雄ネジ型部材１７０の第１貫通孔１７３と連通する排出口１１３が形成される。
【００１７】
上記雄ネジ型部材１７０の第１ネジ山１７１の上部には上側密封環部１７５が一体に形成される。この上側密封環部１７５は雄ネジ型部材１７０から雌ネジ型部材１５０が離脱しないようにする。
【００１８】
また、上記雄ネジ型部材１７０の第１ネジ山１７１の下部には下側密封環部１７７が一体に形成される。この下側密封環部１７７は雄ネジ型部材１７０に雌ネジ型部材１５０が堅固に密着した状態で固定されるようにすることで、ビニール容器１０の密封効果を一層向上させる。
【００１９】
以下、上記のようなビニール容器用の着脱可能な開閉装置１００がビニール容器１０に取り付けられる過程を説明する。
【００２０】
まず、中身を移し分けるために、中身の入ったビニール容器１０の端を切り取る。
【００２１】
雄ネジ型部材１７０には雌ネジ型部材１５０が第１ネジ山１７１の上端に嵌められている。雄ネジ型部材１７０の下部、即ち、第１ネジ山１７１の形成された部分をビニール容器１０の切断部分１３の内側に挿入する。切断部分１３をすぼめて第１ネジ山１７１に密着させながら、ビニール容器１０の切断部分１３の上端を雄ネジ型部材１７０の第１ネジ山１７１と雌ネジ型部材１５０の第２ネジ山１５１との間の螺合間隙１６０にはさみ込む。
【００２２】
それから、図３Ｂに示すように、雌ネジ型部材１５０を回して下降させる。これにより、雄ネジ型部材１７０と雌ネジ型部材１５０との間の螺合間隙１６０に嵌められたビニール容器１０の切断部分１３が雌ネジ型部材１５０により雄ネジ型部材１７０に密着して、ビニール容器１０に開閉装置１００が設置される。
【００２３】
上記開閉装置１００の取り付けられたビニール容器１０の使用方法は、次の通りである。
【００２４】
まず、使用者が蓋部材１１０を開放し、シャンプーや洗剤などの中身を排出口１１３を通して移し入れる容器に移し分ける。その後、蓋部材１１０を閉じてビニール容器１０を密封状態で保管する。
【００２５】
ビニール容器１０の内部が空になって、該ビニール容器１０を廃棄しようとする場合は、上記雌ネジ型部材１５０を回して上げれば、ビニール容器１０が雄ネジ型部材１７０から分離される。上記分離された開閉装置１００は他のビニール容器に繰り返し使用することができる。
【００２６】
［実施例２］
図４は本発明の実施例２によるビニール容器用の着脱可能な開閉装置がビニール容器に結合された状態を示す断面図である。
【００２７】
本実施例による開閉装置２００は実施例１の開閉装置１００の変形例である。図４において実施例１の開閉装置１００と同一の構成要素には同一の参照符号を付し、その説明は省略する。
【００２８】
図４から分かるように、本実施例の開閉装置２００は、雄ネジ型部材２７０の第１ネジ山２７１が形成された部分の形状を除いては実施例１の開閉装置と同一である。即ち、第１シリンダー形本体２７４の第１ネジ山２７１が形成された部分はその直径が下方にいくにつれて次第に拡大される形状を有する。
【００２９】
従って、雌ネジ型部材１５０の内側の第２ネジ山１５１の直径は、第１ネジ山２７１の下端部の直径と一致するように設定する。
【００３０】
上記雄ネジ型部材２７０の第１ネジ山２７１の上部には上側密封環部２７５が一体に形成される。この上側密封環部２７５は雄ネジ型部材２７０から雌ネジ型部材１５０が離脱しないようにする。
【００３１】
また、上記雄ネジ型部材２７０の第１ネジ山２７１の下部には下側密封環部２７７が一体に形成される。この下側密封環部２７７は雄ネジ型部材２７０に雌ネジ型部材１５０を堅固に密着した状態で固定することで、ビニール容器１０の密封効果を一層向上させる。
【００３２】
上記のような構成を有する開閉装置２００がビニール容器１０に取り付けられる過程を説明すれば、次の通りである。
【００３３】
雄ネジ型部材２７０には雌ネジ型部材１５０が第１ネジ山２７１の下端に嵌められているが、開閉装置２００をビニール容器１０に取り付けるためには、まず、雌ネジ型部材１５０を雄ネジ型部材２７０の第１ネジ山２７１の上部まで回して上げる。第１ネジ山２７１はその下部が上部より大径であるため、第１ネジ山２７１の上部にいくにつれて螺合間隙２６０が広くなる。
【００３４】
雄ネジ型部材２７０の第１ネジ山２７１の形成された部分をビニール容器１０の切断部分１３の内側に挿入する。
【００３５】
切断部分１３をすぼめて第１ネジ山２７１に密着させながら、ビニール容器１０の切断部分１３の上端を雄ネジ型部材２７０の第１ネジ山２７１と雌ネジ型部材１５０の第２ネジ山１５１との間の広がった螺合間隙２６０内にさし込む。
【００３６】
それから、雌ネジ型部材１５０を回して下降させる。雄ネジ型部材２７０の第１ネジ山２７１の下部の直径が上部のそれより大きいため、雌ネジ型部材１５０が下降すると、螺合間隙２６０に嵌められたビニール容器１０の切断部分１３は雌ネジ型部材１５０により雄ネジ型部材２７０に密着する。
【００３７】
これにより、ビニール容器１０に対する開閉装置２００の取付け作業が完了する。
【００３８】
上記開閉装置２００の取り付けられたビニール容器１０の使用方法は、実施例１と同様である。
【００３９】
ビニール容器１０内の中身が完全に空になってビニール容器１０を廃棄しようとする場合は、上記雌ネジ型部材１５０を回して上げれば、ビニール容器１０が雄ネジ型部材２７０から分離される。この分離された開閉装置２００は他のビニール容器に再利用することができる。
【００４０】
［実施例３］
図５は本発明の実施例３によるビニール容器用の着脱可能な開閉装置がビニール容器に結合された状態を示す断面図である。
【００４１】
本実施例による開閉装置３００は実施例１の開閉装置１００の変形例である。図５において実施例１の開閉装置１００と同一の構成要素には同一の参照符号を付し、その説明は省略する。
【００４２】
図５から分かるように、本実施例の開閉装置３００は、雄ネジ型部材３７０の第１ネジ山３７１が形成された部分の形状を除いては実施例１の開閉装置と同一である。即ち、第１シリンダー形本体３７４の第１ネジ山３７１が形成された部分はその直径が下方にいくにつれて次第に縮小される形状を有する。
【００４３】
従って、雌ネジ型部材１５０の内側の第２ネジ山１５１の直径は、第１ネジ山３７１の上端部の直径と一致するように設定する。
【００４４】
さらに、上記雄ネジ型部材３７０の第１ネジ山３７１の上部には上側密封環部３７５が一体に形成される。この上側密封環部３７５は雄ネジ型部材３７０に雌ネジ型部材１５０が堅固に密着した状態で固定されるようにすることで、ビニール容器１０の密封効果を一層向上させる。また、雄ネジ型部材３７０の第１ネジ山３７１の下部には下側密封環部３７７が一体に形成されている。
【００４５】
上記のような構成を有する開閉装置３００がビニール容器１０に取り付けられる過程を説明すれば、次の通りである。
【００４６】
雄ネジ型部材３７０には雌ネジ型部材１５０が第１ネジ山３７１の上端に嵌められているが、開閉装置３００をビニール容器１０に取り付けるためには、まず、雄ネジ型部材３７０の下部、即ち第１ネジ山３７１の形成された部分をビニール容器１０の切断部分１３の内側に挿入し、ビニール容器１０の切断部分１３が雌ネジ型部材１５０の下部に位置するように配置する。
【００４７】
切断部分１３をすぼめて第１ネジ山３７１に密着させながら、雌ネジ型部材１５０を回して下降させる。雌ネジ型部材１５０の下降時、第１ネジ山３７１の下部の直径が上部のそれより小さいため、第１ネジ山３７１の下部にいくにつれて螺合間隙３６０が広くなる。従って、雌ネジ型部材１５０の下降により、第１ネジ山３７１の下部では広がった螺合間隙３６０を通してビニール容器１０の切断部分１３が自然に嵌められる。
【００４８】
こうして、ビニール容器１０の切断部分１３が雌ネジ型部材１５０と雄ネジ型部材３７０とにより形成された螺合間隙３６０に嵌められると、ビニール容器１０の切断部分１３を雄ネジ型部材３７０の第１ネジ山３７１の上端部より上方に押し上げる。
【００４９】
それから、雌ネジ型部材１５０を回して上げる。雄ネジ型部材３７０の第１ネジ山３７１の上部の直径が下部のそれより大きいため、雌ネジ型部材１５０が上昇すれば、螺合間隙３６０に嵌められたビニール容器１０の切断部分１３は雌ネジ型部材１５０により雄ネジ型部材３７０の上部に密着する。
【００５０】
こうして、ビニール容器１０に対する開閉装置３００の取付け作業が完了する。
【００５１】
上記開閉装置３００の取り付けられたビニール容器１０の使用方法は、実施例１の場合と同様である。
【００５２】
ビニール容器１０内の中身が完全に空になってビニール容器１０を廃棄しようとする場合は、上記雌ネジ型部材１５０を回して下降させれば、ビニール容器１０が雄ネジ型部材３７０から分離される。この分離された開閉装置３００は他のビニール容器に再利用することができる。
【００５３】
［実施例４］
図６は本発明の実施例４によるビニール容器用の着脱可能な開閉装置の概略斜視図である。図７Ａは図６の開閉装置をビニール容器に結合させる前の状態を示す断面図、図７Ｂは結合後の状態を示す断面図である。図７Ｃは図６の開閉装置を他の方向から見た状態を示した断面図である。
【００５４】
図６乃至図７Ｃに示されたように、本発明の実施例４によるビニール容器用の着脱可能な開閉装置４００は、ビニール容器１０の切断部分１３の内側に収容される雄ネジ型部材４７０を有する。上記雄ネジ型部材４７０はビニール容器１０内の中身を通過させて排出するために雄ネジ型部材１７０の軸方向に沿って第１貫通孔４７３をもつ第１シリンダー形本体４７４と、第１シリンダー形本体４７４の外周面に形成されている第１ネジ山４７１とを有している。
【００５５】
雌ネジ型部材４５０はビニール容器１０を挟んで上記雄ネジ型部材４７０の外部で雄ネジ型部材４７０と螺合される。上記雌ネジ型部材４５０は、ビニール容器１０内の中身を通過するために上記雄ネジ型部材４７０と同軸に第２貫通孔４５３が形成された第２シリンダー形状体４５４を有する。
【００５６】
上記雌ネジ型部材４５０の下部には、第１ネジ山４７１との間に螺合間隙４６０を有して螺合されるように、第２シリンダー形状体４５４の内周面に第２ネジ山４５１が形成されている。上記螺合間隙４６０に上記ビニール容器１０の切断部分１３をはさみ込むようにすることで、上記雌ネジ型部材４５０と雄ネジ型部材４７０との螺合により、上記ビニール容器１０を密封する。
【００５７】
上記雌ネジ型部材４５０の上部にはその外周面に第３ネジ山４５７が形成される。
【００５８】
第１シリンダー形本体４７４の軸方向の下端には、第１のネジ山４７１と第２のネジ山４５１とが螺合した際に、雌ネジ型部材４５０の下端が当接しかつ雄ネジ型部材４７０に雌ネジ型部材４５０が堅固に密着した状態で固定されるように軸方向に対して径方向に延びている下側密封環部４７５が一体に形成される。この密封環部４７５は雄ネジ型部材４７０に雌ネジ型部材４５０が密着固定されるようにして、ビニール容器１０の密封効果を一層向上させる。
【００５９】
雄ネジ型部材４７０は、下側密封環部４７５よりも軸方向の下側に軸方向で下方に延長された複数の摘み４７９を有している。即ち、シリンダー形本体４７４の下端には、複数の摘み４７９が軸方向の軸周りに沿って形成されている。上記雄ネジ型部材４７０をビニール容器１０に挿入した後、ビニール容器１０の外部より雄ネジ型部材４７０の摘み４７９を把持すれば、ビニール容器１０及び雄ネジ型部材４７０の位置が互いに対して容易に固定され得る。さらに、複数の摘み４７９の間には流通路４８０がそれぞれ形成されている。
【００６０】
上記雌ネジ型部材４５０の上部には蓋部材４１０が設置される。上記蓋部材４１０の内周面の下部には第４ネジ山４１７が形成されている。上記蓋部材４１０の第４ネジ山４１７は上記雌ネジ型部材４５０の上部に形成された第３ネジ山４５７と螺合される。上記蓋部材４１０は雌ネジ型部材４５０の第２貫通孔４５３を開閉することにより、上記ビニール容器１０を外部に対して開放または密閉する。
【００６１】
以下、上記ビニール容器用の着脱可能な開閉装置４００がビニール容器１０に取り付けられる過程を説明する。
【００６２】
まず、中身を移し分けるために、中身の入ったビニール容器１０の端を切り取る。
【００６３】
図７Ａに示すように、雄ネジ型部材４７０の下部、即ち、第１ネジ山４７１の形成された部分をビニール容器１０の切断部分１３の内側に挿入する。ビニール容器１０の切断部分１３をすぼめて第１ネジ山４７１に密着させながら、ビニール容器１０の切断部分１３を雌ネジ型部材４５０の
【００６４】
それから、図７Ｂ及び図７Ｃに示すように、雌ネジ型部材４５０を回して下降させる。雄ネジ型部材４７０と雌ネジ型部材４５０との間の螺合間隙４６０に嵌められたビニール容器１０の切断部分１３が雌ネジ型部材４５０により雄ネジ型部材４７０に密着して、ビニール容器１０に開閉装置４００が設置される。
【００６５】
上記開閉装置４００の取り付けられたビニール容器１０の使用方法は、次のようである。
【００６６】
蓋部材４１０を開放して所望する容器に中身を移し分ける。その後、蓋部材４１０を閉じてビニール容器１０を密封状態で保管する。なお、ビニール容器１０内の中身を外部に排出するときには、その中身が流通路４８０を通して残りなく外部に排出されることになる。
【００６７】
ビニール容器１０内の中身が完全に空になってビニール容器１０を廃棄しようとする場合は、上記雌ネジ型部材４５０を上方に回して上げ、雄ネジ型部材４７０から分離すれば、ビニール容器１０が雄ネジ型部材４７０から分離される。この分離された開閉装置４００は他のビニール容器に再利用することができる。
【００６８】
［実施例５］
図８Ａは本発明の実施例５によるビニール容器の着脱可能な開閉装置をビニール容器に結合させる前の状態を示す断面図、図８Ｂは結合後の状態を示す断面図、図８Ｃは図８Ｂの開閉装置を他の方向から見た状態を示した断面図である。
【００６９】
本実施例による開閉装置５００は実施例４の開閉装置４００の変形例である。図８Ａ乃至図８Ｃにおいて実施例４の開閉装置４００と同一の構成要素には同一の参照符号を付し、その説明は省略する。
【００７０】
図８Ａから分かるように、本実施例の開閉装置５００は、雄ネジ型部材５７０の第１ネジ山５７１及び雌ネジ型部材５５０の第２ネジ山５５１が形成された部分の形状を除いては実施例４の開閉装置４００と同一な機能部分となる雄ネジ型部材５７０の第１貫通孔５７３、雄ネジ型部材５７０の第１シリンダー形本体５７４、雌ネジ型部材５５０の第２貫通孔５５３、雌ネジ型部材５５０の第２シリンダー形本体５５４、雌ネジ型部材５５０の第３ネジ山５５７、雄ネジ型部材５７０の下側密封環部５７５などを有している。本実施例の開閉装置５００では第１ネジ山５７１の形成された部分及び第２ネジ山５５１の形成された部分の直径が下方にいくにつれて次第に拡大される形状を有する。
【００７１】
雄ネジ型部材５７０の下側密封環部５７５の下端には下方に延長された摘み５７９が形成される。雄ネジ型部材５７０をビニール容器１０に挿入した後、ビニール容器１０の外部より雄ネジ型部材５７０の摘み５７９を把持すれば、ビニール容器１０及び雄ネジ型部材５７０の位置が互いに対して容易に固定され得る。さらに、さらに、複数の摘み５７９の間には流通路５８０がそれぞれ形成されている。
【００７２】
上記のような構成を有する開閉装置５００がビニール容器１０に取り付けられる過程を説明すれば、次の通りである。図８Ａに示すように、雄ネジ型部材５７０の第１ネジ山５７１の形成された部分をビニール容器１０の切断部分１３の内側に挿入する。ビニール容器１０の外部から摘み５７９を把持してビニール容器１０の切断部分１３を第１ネジ山５７１に密着させる。
【００７３】
ビニール容器１０の切断部分１３を雌ネジ型部材５５０の第２ネジ山５５１の内側に嵌める。この際、ビニール容器１０の切断部分１３を雌ネジ型部材５５０の第２ネジ山５５１の内側に嵌める作業が非常に容易であるが、その理由は、雄ネジ型部材５７０の第１ネジ山５７１の下部の直径が上部のそれより大きく、雌ネジ型部材５５０の第２ネジ山５５１の下部の直径が上部のそれより大きいからである。即ち、第１ネジ山５７１の上端の直径は第２ネジ山５５１の下端のそれより相対的に小さいため、雄ネジ型部材５７０及び雌ネジ型部材５５０の螺合開始時の螺合間隙５６０が相対的に広いからである。
【００７４】
それから、図８Ｂ及び図８Ｃに示すように、雌ネジ型部材５５０を回して下降させる。雄ネジ型部材５７０と雌ネジ型部材５５０との間の螺合間隙５６０に嵌められたビニール容器１０の切断部分１３は雌ネジ型部材５５０及び雄ネジ型部材５７０により密着する。
【００７５】
こうして、ビニール容器１０に対する開閉装置５００の取付け作業が完了する。
【００７６】
上記開閉装置５００の取り付けられたビニール容器１０の使用方法は、実施例４と同様である。
【００７７】
ビニール容器１０内の中身を外部に排出するときには、その中身が流通路５８０を通して残りなく外部に排出されることになる。ビニール容器１０内の中身が完全に空になってビニール容器１０を廃棄しようとする場合は、実施例１と同様に、上記雌ネジ型部材５５０を回して雄ネジ型部材５７０から分離すれば、ビニール容器１０が雄ネジ型部材５７０から自然に分離される。この分離された開閉装置５００は他のビニール容器に再利用することができる。
【００７８】
以上説明したように、本発明の各実施例によるビニール容器用の着脱可能な開閉装置によれば、ビニール容器の切断部分が雄ネジ型部材と雌ネジ型部材により完全に密閉され、雄ネジ型部材にはその軸方向に沿って第１貫通孔が形成され、第１貫通孔の上部には開閉用の蓋部材が形成される。従って、蓋部材を開放すればビニール容器の中身を容易且つ清潔に移し分けることができ、また、蓋部材を密閉すれば中身を容易且つ清潔に保管することができる。
【００７９】
さらに、本発明の各実施例によるビニール容器用の着脱可能な開閉装置によれば、雌ネジ型部材と雄ネジ型部材との螺合を解除することにより、ビニール容器を上記開閉装置から分離することができるので、１つの開閉装置を他のビニール容器に再利用することができる。
【００８０】
以上、本発明を具体的な実施例に基づいて説明したが、本発明はこれに限定されるものではなく、当業者の通常の知識の範囲内でその変形や改良が可能であるのは勿論である。
【図面の簡単な説明】
【図１】  従来のビニール容器の切断された状態を概略的に示す斜視図である。
【図２】  本発明の実施例１によるビニール容器用の着脱可能な開閉装置の概略斜視図である。
【図３Ａ】  図２の開閉装置をビニール容器に結合させる前の状態を示す断面図である。
【図３Ｂ】 図２の開閉装置をビニール容器に結合した後の状態を示す断面図である。
【図４】  本発明の実施例２によるビニール容器用の着脱可能な開閉装置がビニール容器に結合された状態状態を示しており、ビニール容器のみを断面して示した側面図である。
【図５】本発明の実施例３によるビニール容器用の着脱可能な開閉装置がビニール容器に結合される途中の状態を示しており、ビニール容器のみを断面して示した側面図である。
【図６】本発明の実施例４によるビニール容器用の開閉装置の分解斜視図である。
【図７Ａ】 本発明の実施例４によるビニール容器用の開閉装置をビニール容器に結合させる前の状態を示す断面図である。
【図７Ｂ】図７Ａの開閉装置をビニール容器に結合した後の状態を示す断面図である。
【図７Ｃ】 図７Ｂの開閉装置を他の方向から見た状態を示した断面図である。
【図８Ａ】本発明の実施例５によるビニール容器用の開閉装置の分解断面図である。
【図８Ｂ】図８Ａの開閉装置をビニール容器に結合した後の状態を示す断面図である。
【図８Ｃ】 図８Ｂの開閉装置を他の方向から見た状態を示した断面図である。
【図１】
0003693574.tif 000002
【図２】
0003693574.tif 000003
【図３Ａ】
0003693574.tif 000004
【図３Ｂ】
0003693574.tif 000005
【図４】
0003693574.tif 000006
【図５】
0003693574.tif 000007
【図６】
0003693574.tif 000008
【図７Ａ】
0003693574.tif 000009
【図７Ｂ】
0003693574.tif 000010
【図７Ｃ】
0003693574.tif 000011
【図８Ａ】
0003693574.tif 000012
【図８Ｂ】
0003693574.tif 000013
【図８Ｃ】
0003693574.tif 000014